【手続補正書】
【提出日】平成27年2月10日(2015.2.10)
【手続補正１】
【補正対象書類名】特許請求の範囲
【補正対象項目名】全文
【補正方法】変更
【補正の内容】
【特許請求の範囲】
【請求項１】
ヒートシンクと、
該ヒートシンクに結合されて、電力を励磁器へ与えるように構成されている第一のデュアル絶縁ゲート・バイポーラ・トランジスタ（ＩＧＢＴ）と、
前記ヒートシンクに結合されて、電力をバッテリへ与えるように構成されている第二のデュアルＩＧＢＴと、
前記ヒートシンクに結合されて、前記励磁器及び前記バッテリに共通の第三のデュアルＩＧＢＴと、
前記ヒートシンクに配設された単一の温度センサと、
プレナムと可変空気流源とを備える冷却ユニットと、
制御器と、
を備え、
該制御器は、
該単一の温度センサから温度指示値を受け取り、
該温度指示値に基づいて、少なくとも２つのデュアルＩＧＢＴに対する望ましい冷却レベルを決定する、
ように構成され、
該望ましい冷却レベルは互いに異なり、
該冷却ユニットによって供給される空気流量は、前記望ましい冷却レベルに基づいて決定される、
電子装置。
【請求項２】
前記制御器は、
少なくとも前記温度指示値に基づいて、少なくとも２つのデュアルＩＧＢＴの接合部温度を推定し、
少なくとも該接合部温度に基づいて、前記望ましい冷却レベルを決定する、
ように構成される、請求項１に記載の電子装置。
【請求項３】
前記少なくとも２つのデュアルＩＧＢＴは、少なくとも前記第二のデュアルＩＧＢＴと前記第三のデュアルＩＧＢＴを含み、
前記温度センサは、前記ヒートシンクの前記第二のデュアルＩＧＢＴと前記第三のデュアルＩＧＢＴとの間に配置され、
前記制御器は、
少なくとも前記温度指示値に基づいて、前記少なくとも第二のデュアルＩＧＢＴと第三のデュアルＩＧＢＴの接合部温度を推定し、
前記少なくとも第二のデュアルＩＧＢＴと第三のデュアルＩＧＢＴの該接合部温度に少なくとも基づいて、前記望ましい冷却レベルを決定する、
ように構成される、
請求項１に記載の電子装置。
【請求項４】
前記制御器は、
デュアルＩＧＢＴのうちの少なくとも１つの電力レベルを、該デュアルＩＧＢＴがオンに切り換えられる時刻と望ましい負荷電流に少なくとも基づいて、推定するように構成され、
該デュアルＩＧＢＴに対応する前記望ましい冷却レベルは、少なくとも該電力レベルに基づく、
請求項１に記載の電子装置。
【請求項５】
ヒートシンクと、
該ヒートシンクに結合されて、電力を励磁器へ与えるように構成されている第一のデュアル絶縁ゲート・バイポーラ・トランジスタ（ＩＧＢＴ）と、
前記ヒートシンクに結合されて、電力をバッテリへ与えるように構成されている第二のデュアルＩＧＢＴと、
前記ヒートシンクに結合されて、前記励磁器及び前記バッテリに共通の第三のデュアルＩＧＢＴと、
前記ヒートシンクに配設された温度センサと、
プレナムと可変空気流源とを備える冷却ユニットと、
制御器と、
を備え、
該制御器は、
該温度センサから温度指示値を受け取り、
該温度指示値に基づいて、少なくとも１つのデュアルＩＧＢＴに対する望ましい冷却レベルを決定する、
ように構成され、
該冷却ユニットによって供給される空気流量は、該望ましい冷却レベルに基づいて決定され、
該制御器は、
該第二のデュアルＩＧＢＴに対する第一の望ましい冷却レベルと、該第三のデュアルＩＧＢＴに対する第二の望ましい冷却レベルとを決定し、
該第一の望ましい冷却レベルと該第二の望ましい冷却レベルとに対応する信号を、少なくとも該信号に基づいて該空気流量を制御するシステム制御器に送る、
電子装置。
【請求項６】
前記システム制御器は、前記第一の望ましい冷却レベルに対応する第一の望ましい空気流量と、前記第二の望ましい冷却レベルに対応する第二の望ましい空気流量とを算出し、
該空気流量は、該第一の望ましい空気流量と該第二の望ましい空気流量のうちの大きいものに基づく、
請求項５に記載の電子装置。
【請求項７】
ヒートシンクと、
該ヒートシンクに結合されて、電力を励磁器へ与えるように構成されている第一のデュアル絶縁ゲート・バイポーラ・トランジスタ（ＩＧＢＴ）と、
前記ヒートシンクに結合されて、電力をバッテリへ与えるように構成されている第二のデュアルＩＧＢＴと、
前記ヒートシンクに結合されて、前記励磁器及び前記バッテリに共通の第三のデュアルＩＧＢＴと、
前記ヒートシンクに配設された温度センサと、
プレナムと可変空気流源とを備える冷却ユニットと、
制御器と、
を備え、
該制御器は、
該温度センサから温度指示値を受け取り、
該温度指示値に基づいて、該第二のデュアルＩＧＢＴに対する第一の望ましい冷却レベルと、該第三のデュアルＩＧＢＴに対する第二の望ましい冷却レベルとを決定する、
ように構成され、
該冷却ユニットによって供給される空気流量は、該望ましい冷却レベルに基づいて決定され、
該制御器は、
該第二のデュアルＩＧＢＴに対する第一の望ましい冷却レベルおよび第一の電力レベルと、該第三のデュアルＩＧＢＴに対する第二の望ましい冷却レベルおよび第二の電力レベルとを決定し、
該第一の電力レベルが該第二の電力レベルよりも大きな場合には、該第一の電力レベルおよび該第一の望ましい冷却レベルに対応する信号をシステム制御器に送り、他の場合には、該第二の電力レベルおよび該第二の望ましい冷却レベルに対応する信号を該システム制御器に送り、
該システム制御器は、少なくとも該信号に基づいて該空気流量を制御する、
電子装置。
【請求項８】
ヒートシンクと、
該ヒートシンクに結合されて、電力を励磁器へ与えるように構成されている第一のデュアル絶縁ゲート・バイポーラ・トランジスタ（ＩＧＢＴ）と、
前記ヒートシンクに結合されて、電力をバッテリへ与えるように構成されている第二のデュアルＩＧＢＴと、
前記ヒートシンクに結合されて、前記励磁器及び前記バッテリ充電器に共通の第三のデュアルＩＧＢＴと、
を備えるダブルＨブリッジと、
前記ヒートシンクに配設された単一の温度センサと、
プレナムと可変空気流源とを備える冷却ユニットと、
制御器と、
を備え、
該制御器は、
該単一の温度センサから温度指示値を受け取り、
該温度指示値に基づいて、少なくとも２つのデュアルＩＧＢＴに対する望ましい冷却レベルを決定する、
ように構成され、
該望ましい冷却レベルは互いに異なり、
該冷却ユニットによって供給される空気流量は、前記望ましい冷却レベルに基づいて決定される、
乗物用の電力システム。
【請求項９】
前記制御器は、
少なくとも前記温度指示値に基づいて、少なくとも２つのデュアルＩＧＢＴの接合部温度を推定し、
少なくとも該接合部温度に基づいて、前記望ましい冷却レベルを決定する、
ように構成される、請求項８に記載の電力システム。
【請求項１０】
前記少なくとも２つのデュアルＩＧＢＴは、少なくとも前記第二のデュアルＩＧＢＴと前記第三のデュアルＩＧＢＴを含み、
前記温度センサは、前記ヒートシンクの前記第二のデュアルＩＧＢＴと前記第三のデュアルＩＧＢＴとの間に配置され、
前記制御器は、
少なくとも前記温度指示値に基づいて、前記少なくとも第二のデュアルＩＧＢＴと第三のデュアルＩＧＢＴの接合部温度を推定する、
ように構成される、
請求項８に記載の電力システム。
【請求項１１】
前記制御器は、
デュアルＩＧＢＴのうちの少なくとも１つの電力レベルを、該デュアルＩＧＢＴがオンに切り換えられる時刻と望ましい負荷電流に少なくとも基づいて、推定するように構成され、
該デュアルＩＧＢＴに対応する前記望ましい冷却レベルは、少なくとも該電力レベルに基づく、
請求項８に記載の電力システム。
【請求項１２】
ヒートシンクと、
該ヒートシンクに結合されて、電力を励磁器へ与えるように構成されている第一のデュアル絶縁ゲート・バイポーラ・トランジスタ（ＩＧＢＴ）と、
前記ヒートシンクに結合されて、電力をバッテリへ与えるように構成されている第二のデュアルＩＧＢＴと、
前記ヒートシンクに結合されて、前記励磁器及び前記バッテリ充電器に共通の第三のデュアルＩＧＢＴと、
を備えるダブルＨブリッジと、
前記ヒートシンクに配設された温度センサと、
プレナムと可変空気流源とを備える冷却ユニットと、
制御器と、
を備え、
該制御器は、
該温度センサから温度指示値を受け取り、
該温度指示値に基づいて、少なくとも１つのデュアルＩＧＢＴに対する望ましい冷却レベルを決定する、
ように構成され、
該冷却ユニットによって供給される空気流量は、該望ましい冷却レベルに基づいて決定され、
該制御器は、
該第二のデュアルＩＧＢＴに対する第一の望ましい冷却レベルと、該第三のデュアルＩＧＢＴに対する第二の望ましい冷却レベルとを決定し、
該第一の望ましい冷却レベルと該第二の望ましい冷却レベルとに対応する信号を、少なくとも該信号に基づいて該空気流量を制御するシステム制御器に送る、
乗物用の電力システム。
【請求項１３】
前記システム制御器は、前記第一の望ましい冷却レベルに対応する第一の望ましい空気流量と、前記第二の望ましい冷却レベルに対応する第二の望ましい空気流量とを算出し、
該空気流量は、該第一の望ましい空気流量と該第二の望ましい空気流量のうちの大きいものに基づく、
請求項１２に記載の電力システム。
【請求項１４】
前記制御器が、
該第二のデュアルＩＧＢＴに対する第一の望ましい冷却レベルおよび第一の電力レベルを決定し、
該第三のデュアルＩＧＢＴに対する第二の望ましい冷却レベルおよび第二の電力レベルとを決定し、
該第一の電力レベルが該第二の電力レベルよりも大きな場合には、該第一の電力レベルおよび該第一の望ましい冷却レベルに対応する信号をシステム制御器に送り、他の場合には、該第二の電力レベルおよび該第二の望ましい冷却レベルに対応する信号を該システム制御器に送る、
ように構成され、
該システム制御器は、少なくとも該信号に基づいて該空気流量を制御する、
請求項１２に記載の電力システム。